(57)【要約】【課題】撮影モードの選択操作が簡単で分かり易いレンズ付きフイルムユニットを低価格で提供する。【解決手段】操作部１５が一体成形された操作板３６は、日中撮影モードにセットする第１操作位置と、第１操作位置から上方に移動され、日中シンクロ撮影モードにセットする第２操作位置と、第１操作位置から左方に移動され、夜間シンクロ撮影モードにセットする第３操作位置との間で、ガイドプレート３７により移動自在にガイドされる。また、操作板３６の裏面にはスイッチ押圧片４０ａ，４０ｂが設けられており、第２及び第３操作位置にセットされた時に、弾性接片４７を押圧して固定接片４６に接触させることによりストロボユニット２４の充電スイッチがＯＮになる。また、操作板３６の係止穴３８ａにより、絞り切替え及びシャッタ速度の切替えが行われる。【選択図】　　　　図５
2004053677.tif 000002
【特許請求の範囲】
【請求項１】
ストロボを含む撮影機構を備えるとともに、ストロボ発光を行わない日中撮影モードと、ストロボ発光を行う日中シンクロ撮影モードと、前記日中撮影モード及び前記日中シンクロ撮影モードよりも露光量を増加させてストロボ発光を行う夜間シンクロ撮影モードとを切替える撮影モード選択部材を備えたレンズ付きフイルムユニットにおいて、
前記撮影モード選択部材は、前記日中撮影モードにセットする第１操作位置と、前記日中シンクロ撮影モードにセットする第２操作位置と、前記夜間シンクロ撮影モードにセットする第３操作位置との間で移動自在に切り替え操作され、前記第１操作位置は、前記第２操作位置と前記第３操作位置との間にあることを特徴とするレンズ付きフイルムユニット。
【請求項２】
前記撮影モード選択部材は、露光量切替部材が一体に形成されており、前記第１操作位置から前記第３操作位置への移動に連動して、シャッタ速度切替機構と絞り切替機構の少なくとも一方を切替えて露光量を増加させることを特徴とする請求項１記載レンズ付きフイルムユニット。
【請求項３】
前記撮影モード選択部材には、ストロボユニットの充電スイッチを構成する金属接片を押圧する２つのスイッチ押圧片が一体に形成されており、一方は前記第１操作位置から前記第２操作位置への移動に連動して前記金属接片を押圧し、他方は前記第１操作位置から前記第３操作位置への移動に連動して前記金属接片を押圧して、充電スイッチをＯＮにすることを特徴とする請求項１または請求項２記載のレンズ付きフイルムユニット。
【発明の詳細な説明】
【０００１】
【発明の属する技術分野】
本発明は、レンズ付きフイルムユニットに関し、更に詳しくは、複数の撮影モードを有するレンズ付きフイルムユニットに関するものである。
【０００２】
【従来の技術】
製造時に写真フイルムが装填されたレンズ付きフイルムユニットが各種販売されている。初期のレンズ付きフイルムユニットは、絞りやシャッタ速度が固定であった。そのため、光量の少ない暗い場所で撮影を行うと、主要な被写体はストロボ光によって適正に露出されるが、周辺光の取り込み量が少ないため背景は撮影されなかった。また、ユーザーによるレンズ付きフイルムユニットへの要望として、夜間にライトアップされた建物やイルミネーション等の夜景撮影への対応があった。
【０００３】
上記要望に応えるために、ストロボ撮影時に絞りが開くレンズ付きフイルムユニット（特開２０００−３０５２２１号、特開２００１−２１５５９９号）や、簡易ＡＥ機能を搭載したレンズ付きフイルムユニット（特開平９−５８１７号）、ストロボ撮影時に絞りを開きかつシャッタスピードを遅くするレンズ付きフイルムユニット（特開平１０−３３３２８７号）、手動の切り替え操作によって絞りとストロボ光量とを切り替えられるようにし、大絞り状態でストロボの減光発光を行う夜間撮影モードを備えたレンズ付きフイルムユニット（特開２０００−１６２７３８号）等が発明されている。
【０００４】
上記各発明のレンズ付きフイルムユニットは、背景を撮影できる明るさの範囲が狭かった。また、設定されている撮影モードの状態が撮影モードを切り替える操作部材の位置でしか判別できなかったため、例えば、夜間撮影モードで日中撮影を行う等の不適切な撮影モード選択が行われる等の種々の問題を有している。これらの問題を解決するために、従来よりも暗い背景の撮影を行うことができ、かつ、撮影モードの判別が容易なレンズ付きフイルムユニット（特願２００２−１５１３２８）が本出願人より出願されている。
【０００５】
【発明が解決しようとする課題】
しかしながら、特願２００２−１５１３２８号記載のレンズ付きフイルムユニットは、日中撮影モード（ストロボＯＦＦ）から夜間シンクロ撮影モード（ストロボＯＮ）に切替える際に、日中シンクロ撮影モード（ストロボＯＮ）を経由しないと撮影モードの切替えができないために、切替操作に手間が掛かるとともに、撮影モードの選択ミスの原因となっていた。
【０００６】
また、絞り切替、シャッタスピード切替、ストロボ発光量切替、及び撮影モード表示等を行うために多数の部品を使用するために製造コストが高くなるといる問題があった。
【０００７】
本発明は、上記問題点を解決するためのもので、従来よりも暗い背景の撮影を行うことができ、撮影モードの切替操作が容易で分かりやすいレンズ付きフイルムユニットを低価格で提供することを目的とする。
【０００８】
【課題を解決するための手段】
上記問題点を解決するために、本発明のレンズ付きフイルムユニットは、ストロボを含む撮影機構を備えるとともに、ストロボ発光を行わない日中撮影モードと、ストロボ発光を行う日中シンクロ撮影モードと、前記日中撮影モード及び前記日中シンクロ撮影モードよりも露光量を増加させてストロボ発光を行う夜間シンクロ撮影モードとを切替える撮影モード選択部材を備え、この撮影モード選択部材は、日中撮影モードにセットする第１操作位置と、日中シンクロ撮影モードにセットする第２操作位置と、夜間シンクロ撮影モードにセットする第３操作位置との間で移動自在に切り替え操作され、第１操作位置は、第２操作位置と第３操作位置との間にあることを特徴とするものである。
【０００９】
また、撮影モード選択部材は、露光量切替部材が一体に形成されており、第１操作位置から第３操作位置への移動に連動して、シャッタ速度切替機構と絞り切替機構の少なくとも一方を切替えて露光量を増加させることを特徴とするものである。
【００１０】
さらに、撮影モード選択部材には、ストロボユニットの充電スイッチを構成する金属接片を押圧する２つのスイッチ押圧片が一体に形成されており、一方は第１操作位置から第２操作位置への移動に連動して金属接片を押圧し、他方は第１操作位置から第３操作位置への移動に連動して前記金属接片を押圧して、充電スイッチをＯＮにすることを特徴とするものである。
【００１１】
【発明の実施の形態】
図１は、本発明を実施したレンズ付きフイルムユニットの外観形状を示す斜視図である。レンズ付きフイルムユニット２は、各種撮影機構が組み込まれたユニット本体３と、このユニット本体３の製造時に装填されたフイルムパトローネと、ユニット本体３の外周に巻き付けられるようにして貼付されるラベル４とからなる。ラベル４には、ユニット本体３の各部を露呈させるための開口が形成されている。
【００１２】
ユニット本体３の前面には、撮影レンズ５，ファインダ６，ストロボ発光部７，撮影モード選択部８等が設けれている。ユニット本体３の上面には、シャッタボタン９，カウンタ表示窓１０，シグナル部材１１等が設けられている。このシグナル部材１１はライトガイドであり、ストロボ充電の完了時に発光する発光素子の光をユニット本体３外にガイドして、撮影準備が完了したことを知らせる。ユニット本体３の背面からは、撮影後のフイルム巻き上げに用いられる巻上げノブ１２の一部が露呈されている。
【００１３】
撮影モード選択部８は、ユニット本体３の前面に形成された操作開口１４と、この操作開口１４内で移動自在とされた略円形状の操作部材１５とからなる。操作部材１５は、操作開口１４内の下方右側に位置する第１操作位置と、図２に示すように、第１操作位置から上方に向けてスライドされた第２操作位置と、図３に示すように、第１操作位置から左方向に向けてスライドされた第３操作位置との間で移動自在とされている。
【００１４】
レンズ付きフイルムユニット２は、操作部材１５が第１操作位置にある際に、ストロボＯＦＦ及び小絞り及び高速シャッタの日中撮影モード（第１撮影モード）となる。また、操作部材１５が第２操作位置にある際には、ストロボＯＮ及び小絞り及び高速シャッタの日中シンクロ撮影モード（第２撮影モード）となる。
【００１５】
操作部材１５が第３操作位置にある際には、ストロボＯＮ及び大絞り及び低速シャッタの夜間シンクロ撮影モード（第３撮影モード）となる。この第３撮影モードでは、ストロボ発光部７の前方に減光板１９が配置され、被写体に向けて照射されるストロボ光量の減光が図られる。また、ファインダ６の前方には、円板状の指標板２０が配置される。この指標板２０は、ファインダ６内で視認されることにより、レンズ付きフイルムユニット２が第３撮影モードにあることを撮影者に知らせる。
【００１６】
図４は、ユニット本体３の構成を示す分解斜視図である。ユニット本体３は、１３５タイプのフイルムパトローネ２２が装填される本体基部２３と、この本体基部２３の前面側に取り付けられるストロボユニット２４と、撮影モードの切り替えを行うモード切替機構２５と、本体基部２３の前面側及び背面側に取り付けられる前カバー２６及び後カバー２７とからなる。
【００１７】
ストロボユニット２４は、各種電気部品が取り付けられてストロボ回路が形成されたプリント基板２９と、放電管やリフレクタ，拡散板等からなるストロボ発光部７とから構成されている。また、プリント基板２９には、シャッタレリーズに連動してＯＮし、ストロボ発光を行わせるシンクロスイッチ３０と、操作部材１５の移動によってＯＮ／　ＯＦＦされる充電スイッチ３１と、電池３２をストロボ回路に接続する電池接片３３等が取り付けられている。
【００１８】
本体基部２３の前面中央には、遮光筒３５が設けられている。この遮光筒３５の周囲には、シャッタチャージ機構、シャッタレリーズ機構、フイルム巻上げ機構、フイルム巻止機構、フイルムカウント機構、絞り切替機構、シャッタ速度切替機構、撮影光学系、ファインダ光学系等が組み込まれている。
【００１９】
本発明のレンズ付きフイルムユニット２は、前述したように、操作部材１５が第１操作位置から、第２操作位置及び第３操作位置にスライドされた時に、ストロボ発光を行う。このため、操作部材１５の上下方向及び左右方向の移動に連動して、ストロボユニット２４の充電スイッチ３１がＯＮ／　ＯＦＦの切替えが行われる。この充電スイッチ３１のＯＮ／　ＯＦＦの切替えは、以下に説明するように、モード切替機構２５により行われる。
【００２０】
モード切替機構２５は、図５に示すように、操作板３６と、この操作板３６を第１操作位置と第２操作位置と第３操作位置との間でスライド自在にガイドするガイドプレート３７で構成されている。操作板３６はプラスチックの成形品からなり、前面には、前カバー２６の操作開口１４から突出する操作部材１５が一体成形され、裏面にはストロボ回路の充電スイッチ３１をＯＮさせるための平板状のスイッチ押圧片４０ａ，４０ｂが一体成形されている。また、この操作板３６の左上部には、先端に係止穴３８ａが形成された係止部３８が、一体に成形されており、この係止穴３８ａにより、後述する絞り切替え及びシャッタ速度切替えを行う。
【００２１】
さらに、操作板３６には溝４１ａ，４１ｂが設けられており、ガイドプレート３７の前面に設けられたガイド突起４５ａ，４５ｂと係合する。これらの係合によって操作板３６は上下方向及び左右方向に移動が規制される。
【００２２】
また、この操作板３６には、溝４２が設けられており、ガイドプレート３７の前面に設けられたガイド突起４６と係合する。このガイド突起４６は、断面形状が略正六角形である六角柱の突起であり、操作板３６が上下方向に移動された時、または操作板３６が左右方向に移動された時に、その斜面が溝４２内に突出している突起４２ａまたは突起４２ｂに摺接する。この溝４２の左方と上方には、溝４３ａ，４３ｂが形成されており、操作板３６が上下方向または左右方向に移動されて、ガイド突起４６の斜面が突起４２ａ，４２ｂに摺接する時に、突起４２ａ，４２ｂが左方または上方に移動しやすいようにしている。
【００２３】
このガイド突起４６の斜面は、操作板３６がＯＮ位置（第２操作位置または第３操作位置）に達する直前で突起４２ａまたは突起４２ｂに当接して操作板３６の移動に負荷を与えるが、更に操作板３６をスライドさせることにより、突起４２ａまたは４２ｂが押圧され移動するので、ガイド突起４６と、突起４２ａまたは４２ｂが摺接してＯＮ位置に達する。このガイド突起４６と突起４２ａ，４２ｂの係合により操作板３６が不用意にＯＦＦ位置に戻ることはなく、同時にＯＦＦ位置からＯＮ位置に移動することはない。
【００２４】
また、スイッチ押圧片４０ａ　，４０ｂはガイドプレート３７の開口４３を貫通してプリント基板２９の前面に達し、その先端に充電スイッチ３１が当接する。充電スイッチ３１は、プリント基板２９上に取り付けられた固定接点４６と弾性接片４７とからなる。弾性接片４７の先端部に折り曲げ形成された接触片が固定接点４６に接触することによって充電スイッチ３１がＯＮになる。この弾性接片４７の変位は、スイッチ押圧片４０ａ，４０ｂの押圧によって行われる。
【００２５】
この弾性接片４７は弾性を有する金属薄板で構成され、その弾性力に、より柔軟性をもたせるために、根元側に略Ｕ字形状に屈曲させた湾曲部４７ａが形成されている。この湾曲部４７ａに連なり、プリント基板２９側に近づくように屈曲した凹部４７ｂが形成されている。この凹部４７ｂに連なって、先端側に向かって徐々に高さが漸増する傾斜部４７ｃが形成され、先端部にプリント基板２９側に向かって屈曲させた折り曲げ部４７ｄが形成されている。また、傾斜部４７ｃには、右側に突出して先端側に向かって徐々に高さが漸減してプリント基板２９側に近づく傾斜部４７ｅが形成されている。
【００２６】
次に、スイッチ押圧片４０ａ，４０ｂの押圧による弾性接片４７の変位について説明を行う。第１操作位置から第２操作位置に操作板３６が移動した場合は、図６の側面断面図に示すように、スイッチ押圧片４０ａの押圧により弾性接片４７が変位して充電スイッチ３１がＯＮになる。
【００２７】
操作部材１５がＯＦＦ位置（第１操作位置）にあるときには、スイッチ押圧片４０ａが凹部４７ｂの下側に位置し、弾性接片３７は実線で示す位置にあり、先端の折り曲げ部４７ｄは固定接片４６から離れている。そして、操作部材１５がＯＮ位置（第２操作位置）に向かってスライド操作されると、これとともにスイッチ押圧片４０ａが上方に移動して凹部４７ｂを経て傾斜部４７ｃに達すると、弾性接片４７が点線で示すように変形し、先端の折り曲げ部４７ｄが固定接片４６に接触して充電スイッチ３１がＯＮになる。
【００２８】
第１操作位置から第３操作位置に操作板３６が移動した場合は、図７の平面断面図に示すように、スイッチ押圧片４０ｂの押圧により弾性接片４７が変位して充電スイッチ３１がＯＮになる。
【００２９】
操作部材１５がＯＦＦ位置（第１操作位置）にあるときには、スイッチ押圧片４０ｂが傾斜部４７ｅの右端部に位置し、弾性接片４７の折り曲げ部４７ｄは実線で示す位置にあり、固定接片４６から離れている。そして、操作部材１５がＯＮ位置（第３操作位置）に向かってスライド操作されると、これとともにスイッチ押圧片４０ｂが左方に移動する。この移動により、スイッチ押圧片４０ｂが傾斜部４７ｅをプリント基板２９側へ押圧して、弾性接片４７がプリント基板２９側に移動して、ＯＮ位置（第３操作位置）に達した時に、弾性接片４７が点線で示す位置に到達する。この時、先端の折り曲げ部４７ｄが固定接片４６に接触して充電スイッチ３１がＯＮになる。
【００３０】
レンズ付きフイルムユニット２は、前述したように、操作部材１５が第１及び第２操作位置にセットされている時には、小絞り、高速シャッタに設定されており、第３操作位置にセットされた時にのみ、大絞り、低速シャッタに切替えが行われる。以下にこの切替機構について説明を行う。
【００３１】
図８は、遮光筒３５の周囲に組み込まれたシャッタレリーズ機構，絞り切替機構，シャッタ速度切替機構，撮影光学系の構成を示す分解斜視図である。遮光筒３５の前面には、露光開口５７が形成されている。遮光筒３５の側方には、シャッタ羽根５８を揺動自在に支持するピン５９と、バネ６０の一端が掛けられるピン６１とが設けられている。
【００３２】
シャッタレリーズ機構を構成するシャッタ羽根５８は、ピン５９に挿通される穴６３ａが形成されたベース部６３と、露光開口５７の前方に配置されて該露光開口５７の開閉を行う開閉部６４と、ベース部６３と開閉部６４とを接続する連結部６５とからなる。ベース部６３には、バネ６０の他端が掛けられるピン６３ｂと、シャッタ駆動レバー６７によって蹴飛ばされる突出部６３ｃと、ストロボユニット２４のシンクロスイッチ３０を動作させるシンクロ突起６３ｄとが設けられている。シャッタ羽根５８は、バネ６０に付勢されて露光開口５７を塞ぐ閉じ位置に保持されている。
【００３３】
シャッタ駆動レバー６７は、シャッタレリーズ機構を構成する部品の一つであり、シャッタチャージ機構によって図中時計方向のチャージ位置に回動される。そして、シャッタレリーズ時に、図中反時計方向のレリーズ位置に向けて回動し、その際にシャッタ羽根５８の突出部６３ｃを蹴飛ばす。シャッタ駆動レバー６７に蹴飛ばされたシャッタ羽根５８は、バネ６０の付勢に抗して図中時計方向の開き位置に向けて回動する。そして、レンズホルダ７６の内面に設けられたストッパーピン７６ａ（図１３参照）に当接すると、バネ６０の付勢によって閉じ位置に復帰する。
【００３４】
また、シャッタ羽根５８は、開き位置への回動時にシンクロ突起６３ｄでシンクロスイッチ３０の上部金属接片３０ａを押圧し、下部金属接片３０ｂに接触させる。一対の金属接片３０ａ，３０ｂが接触してシンクロスイッチ３０がＯＮすると、ストロボユニット２４の発光部７においてストロボ発光が行われる。
【００３５】
レンズホルダ７６の上部には、ストップレバー６９を回動自在に支持するピン７０が形成されている。シャッタスピード切替部材であるストップレバー６９は、ピン７０に支持されるボス７１と、このボス７１の側面から突出された２本のアーム７２，７３と、一方のアーム７２の先端に形成されたパッド７４とからなる。このストップレバー６９は、図９に示すように、パッド７４をシンクロスイッチ３０の下部金属接片３０ｂの自由端側の下方に挿入する高速シャッタ位置と、図１０に示すように、パッド７４を下部金属接片３０ｂの下方から退避させる低速シャッタ位置との間で回動される。
【００３６】
図１２に示すように、ストップレバーのパッド７４が高速シャッタ位置にある際にシャッタレリーズが行われると、シャッタ羽根５８のシンクロ突起６３ｄに押圧されたシンクロスイッチ３０の上部金属接片３０ａが下部金属接片３０ｂに接触し、ストロボ発光が行われる。下部金属接片３０ｂはパッド７４に当接するため、シャッタ羽根５８は、開き位置への移動の途中で回動が阻止される。これにより、短時間でシャッタ羽根５８が閉じ位置に復帰し、シャッタ速度が速くなる。ストップレバー６９が高速シャッタ位置にあるときのシャッタ速度は、例えば１／１１０秒となる。
【００３７】
上記とは逆に、図１３に示すように、ストップレバー６９のパッド７４が低速シャッタ位置にある際には、シャッタ羽根５８の開き位置への回動が大きくなる。これは、金属接片３０ｂの弾性変形が自由になるためであり、その結果、シャッタ羽根５８が閉じ位置に復帰するまでの時間が長くなって、シャッタ速度が遅くなる。ストップレバー７４が低速シャッタ位置にあるときのシャッタ速度は、例えば１／４５秒となる。
【００３８】
図８に示すように、遮光筒３５の前方には、略板状のレンズホルダ７６が取り付けられる。レンズホルダ７６の前面中央には、筒形状の鏡筒７７が形成されている。鏡筒７７内には、撮影開口７８が形成されており、鏡筒７７の側面には切欠７９が形成されている。鏡筒７７内には、撮影レンズ５を構成する第１レンズ８０と第２レンズ８１とが収納される。これら第１レンズ８０と第２レンズ８１との間には、絞り切替機構を構成する大絞り板８２と、絞り切替板８３と、スペーサー８４とが収められる。大絞り板８２は、円形の薄板からなり、中央に大径の絞り開口８２ａが形成されている。
【００３９】
レンズホルダ７６の前面には、鏡筒７７に収められた撮影レンズ５等の部品と、鏡筒７７の外周に取り付けられた切替リング８８とが外れないように押さえるレンズ押さえ板８５が取り付けられる。
【００４０】
絞り切替板８３は、く字形状の薄板からなり、一端に大絞り開口８２ａを塞ぐ大きさの小絞り部８３ａが設けられている。この小絞り部８３ａには、小径の絞り開口８３ｂが形成されている。絞り切替板８３の他端には、穴８３ｃと長穴８３ｄとが形成されている。穴８３ｃは、レンズホルダ７６の鏡筒７７の近傍に形成されたピン８６に挿通され、絞り切替板８３を揺動自在とする。絞り切替板８３は、切欠７９を利用して小絞り部８３ａを鏡筒７７内に出入りさせ、大絞り開口８２ａを露呈させる大絞り位置と、大絞り開口８２ａを隠す小絞り位置との間で回動される。
【００４１】
鏡筒７７の外周には、切替リング８８が回動自在に嵌入される。切替リング８８には、バネ９０の一端が掛けられるバネ掛けピン８８ａと、絞り切替板８３の長穴８３ｄに挿入されるリンクピン８８ｂと、ストップレバー６９の他方のアーム７３が間に挟み込まれる一対の挟持ピン８８ｃと、その右に操作板３６の係止穴３８ａにより係止される被係止ピン８８ｄが設けられている。
【００４２】
バネ９０の他端は、レンズホルダ７６の前面下部に形成されたピン９１に掛けられ、切替リング８８を図中時計方向に付勢する。なお、バネ９０によって付勢された切替リング８８は、操作板３６との連係によって所定の位置に保持される。
【００４３】
操作部材１５が第１操作位置から第３操作位置に移動された時に、操作板３６に設けられた係止穴３８ａは、切替リング８８の被係止ピン８８ｄを右から左に移動させ、切替リング８８は図中反時計方向に回動される。
【００４４】
図１１（Ａ）は、第１撮影モードにおける切替リング８８の状態を示している。この時、操作部材１５は第１操作位置にあり、切替リング８８は初期位置に保持されている。また、図１１（Ｂ）は、第２撮影モードにおける切替リング８８の状態を示している。この時、操作部材１５は第２操作位置にあり、第１操作位置（図１１（Ａ）に示す状態）から上方向に移動されている。しかし、被係止ピン８８ｄは係止穴３８ａの下面に当接するだけで、第１操作モードの場合と同様に、切替リング８８は初期位置に保持される。
【００４５】
切替リング８８が初期位置にある時には、絞り切替板８３は小絞り部８３ａが鏡筒７７内に挿入される小絞り位置に保持される。これにより、小絞り部８３ａが大絞り開口８２ａを塞いで小絞り状態となる。この小絞り状態でのＦ値は、例えばＦ１４となる。また、一対の挟持ピン９８ｃは、ストップレバー７９を高速シャッタ位置に保持している。
【００４６】
図１１（Ｃ）は、第３撮影モードにおける切替リング８８の状態を示している。第３撮影モードは、操作部１５が第１操作位置から第３操作位置に移動される。この移動に連動して、操作板３６の係止穴３８ａが、切替リング８８の被係止ピン８８ｄを係止しながら、横方向（左方向）に移動し、切替リング８８を図中反時計方向に回動させる。この切替リング８８の回動により、リンクピン８８ｂに押圧された絞り切替板８３が図中時計方向に回動し、小絞り部８３ａが光軸上から退避する大絞り位置に移動する。この大絞り状態でのＦ値は、例えばＦ５．６となる。また、一対の挟持ピン８８ｃはストップレバー６９を回動させ、パッド７４を低速シャッタ位置にセットする。
【００４７】
前述した被係止ピン８８ｄは、ピンの軸を中心にして回動自在にしても良い。この場合、被係止ピン８８ｄが回転自在であることにより、係止穴３８ａによる切替リング８８の回転がスムースに行われる。
【００４８】
次に、上記実施形態の作用について説明する。図１に示すように、日中撮影モードにあるレンズ付きフイルムユニット２は、操作部材１５が操作開口１４の下方の第１操作位置にセットされている。
【００４９】
この日中撮影モード（第１撮影モード）では、図１１（Ａ）に示すように、切替リング８８がバネ９０に付勢され、操作板３６の係止穴３８ａに係止されて初期位置にある。切替リング８８が初期位置にある時には、絞り切替板８３が小絞り位置にセットされ、図９に示すように、ストップレバー６９が高速シャッタ位置にセットされている。
【００５０】
また、この日中撮影モードでは、操作板３６は、初期位置にあるため、充電スイッチ３１の弾性接片４７は押圧されておらず、ＯＦＦの状態が維持される。さらに、日中撮影モードでは、減光板１９及び指標板２０はレンズ付きフイルムユニット２の前面に露呈されない。
【００５１】
日中撮影モードで撮影を行うと、ストロボ発光は行われない。また、絞りの状態は小絞り状態であり、図１２に示すように、ストップレバー６９によってシャッタ羽根５８の回動が途中で阻止され、シャッタ速度が速くなる。これにより、輝度の高い日中屋外での撮影に適した露出で撮影を行うことができる。
【００５２】
図２に示すように、操作部材１５が操作開口１４の上方の第２操作位置にスライドされると、レンズ付きフイルムユニット２は、日中シンクロ撮影モードにセットされる。
【００５３】
日中シンクロ撮影モード（第２撮影モード）においても、切替リング８８は初期位置に維持されて、日中撮影モードと同様に、図１２に示す状態であり、小絞り状態及び高速シャッタ状態である。
【００５４】
日中シンクロ撮影モードでは、操作板３６がガイドプレート３７の上方にスライドされるので、充電スイッチ３１の弾性接片４７は、スイッチ押圧片４０ａに押圧されてＯＮ状態となるため、ストロボユニット２４ではストロボ充電が行われる。ストロボ充電が完了すると、ストロボユニット２４に設けられた発光素子が点灯または点滅し、この発光素子の光は、シグナル部材にガイドされてユニット本体３外に放射される。図２に示すように、日中シンクロ撮影モードでも、減光板１９及び指標板２０はレンズ付きフイルムユニット２の前面に露呈されない。
【００５５】
この日中シンクロ撮影モードで撮影を行うと、ストロボ発光が行われる。また、小絞り状態及び高速シャッタ状態であるため、輝度の高い日中屋外でのシンクロ撮影に適した露出で撮影を行うことができる。
【００５６】
レンズ付きフイルムユニット２は、図３に示すように、操作部材１５を第１操作位置から第３操作位置に移動操作することにより、夜間シンクロ撮影モードにセットされ、減光板１９及び指標板２０がレンズ付きフイルムユニット２の前面に露呈される。
【００５７】
図１１（Ｃ）に示すように、夜間シンクロ撮影モードでは、操作板３６の係止穴３８ａにより、切替リング８８の被係止ピン８８ｄが横方向に移動することにより、切替リング８８が反時計方向に回動する。切替リング８８の回動によって、絞り切替板８３が大絞り位置に回動し、大絞り開口８２ａが撮影光軸上に配置される。また、図１０に示すように、ストップレバー６９は低速シャッタ位置にセットされる。また、操作板３６がガイドプレート３７の左方にスライドされるので、充電スイッチ３１の弾性接片４７は、スイッチ押圧片４０ｂに押圧されてＯＮ状態となるため、ストロボユニット２４ではストロボ充電が行われる。ストロボ充電が完了すると、ストロボユニット２４に設けられた発光素子が点灯または点滅し、この発光素子の光は、シグナル部材にガイドされてユニット本体３外に放射される。
【００５８】
夜間シンクロ撮影を行うと、ストロボ発光が行われるが、減光板１９によってストロボ光が遮られるため、被写体に向けて照射されるストロボ光量は減少する。また、大絞り及び低速シャッタ状態となるため、被写体の周辺光の取り込み量が増加する。これにより、夜間や屋内での撮影でも、露光オーバーを発生させることなく、被写体と被写体の周辺画像とをバランスよく撮影することができる。このため、被写体を夜景をバックにして撮影する場合などに有効である。
【００５９】
次に、撮影モード選択部８の変形例について説明を行う。図１４に示すように、撮影モード選択部１００は、横方向のスライドスイッチであり、操作開口１０１と、この操作開口１０１内で移動自在とされた操作部材１０２とからなる。操作部材１０２は、操作開口１０１内の中央に位置する第１操作位置と、第１操作位置から右方向に向けてスライドされた第２操作位置と、第１操作位置から左方向に向けてスライドされた第３操作位置との間で移動自在とされている。
【００６０】
この撮影モード選択部１００は、前述の撮影モード選択部８と同様に、操作部材１０２が第１操作位置にある際に、ストロボＯＦＦ及び小絞り及び高速シャッタの日中撮影モード（第１撮影モード）となる。また、操作部材１０２が第２操作位置にある際には、ストロボＯＮ及び小絞り及び高速シャッタの日中シンクロ撮影モード（第２撮影モード）となる。操作部材１０２が第３操作位置にある際には、ストロボＯＮ及び大絞り及び低速シャッタの夜間シンクロ撮影モード（第３撮影モード）となる。
【００６１】
この操作部材１０２は、図１５に示すように、操作板１０３に一体に設けられている。また、この操作板１０３の裏面には、スイッチ押圧片１０６ａ，１０６ｂが設けられている。このスイッチ押圧片１０６ａ，１０６ｂが弾性接片１０４を押圧することにより、弾性接片１０４の先端部に折り曲げ形成された接触片が固定接点１０５に接触することによりストロボユニット２４の充電スイッチ３１がＯＮになる。
【００６２】
弾性接片１０４は、弾性を有する金属薄板で構成され、その弾性力により柔軟性をもたせるために、根元側に略Ｕ時形状に屈曲させた湾曲部１０４ａが形成されている。この湾曲部１０４ａに連なり、プリント基板２９側に近づくように屈曲した凹部１０４ｂが形成されている。この凹部１０４ｂに連なって、先端側に向かって徐々に高さが漸増する傾斜部１０４ｃが形成され、先端部にプリント基板２９側に向かって屈曲させた折り曲げ部１０４ｄが形成されている。
【００６３】
次に、スイッチ押圧片１０６ａ，１０６ｂの押圧による弾性接片１０４の変位について説明を行う。図１６（Ａ）は、操作部材１０３が第１操作位置にセットされている時の弾性接片１０４の状態を示している。この状態では、弾性接片１０４は、スイッチ押圧片１０６ａ，１０６ｂに押圧されないので、初期形状のままである。このため、折り曲げ部１０４ｄが固定接片１０５に接触することはないので、充電スイッチ３１はＯＦＦ状態が維持される。
【００６４】
図１６（Ｂ）は、操作部材１０２が第２操作位置にセットされている時の弾性接片１０４の状態を示している。この状態では、傾斜部１０４ｃがスイッチ押圧片１０６ａにより押圧され、弾性接片１０４は、図示のように変形して、折り曲げ部１０４ｄが固定接片１０５に接触する。これにより、充電スイッチ３１はＯＮになる。
【００６５】
図１６（Ｃ）は、操作部材１０２が第３操作位置にセットされている時の弾性接片１０４の状態を示している。この状態では、凹部１０４ｂがスイッチ押圧片１０６ｂにより押圧され、弾性接片１０４は、図示のように変形して、折り曲げ部１０４ｄが固定接片１０５に接触する。これにより、充電スイッチ３１はＯＮになる。
【００６６】
また、図１５に示すように、この操作板１０３の左側部には、係止穴１０７ａが設けられた係止部１０７が一体に形成されている。この係止穴１０７ａは、前述した操作板３６の係止穴３８ａと同様に、操作部材１０２が第３操作位置にセットされた時に、切替リング８８の被係止ピン８８ｄを係止して、反時計方向に回転させる。これにより、大絞り及び低速シャッタになる。
【００６７】
この撮影モード選択部１００の作用は、前述した撮影モード選択部８の場合と全く同様である。
【００６８】
なお、上記実施例においては、本発明のレンズ付きフイルムユニットにシャッタ速度切替機構と絞り切替機構の両方設けたが、どちらか一方のみを設けても良い。この場合、シャッタ速度切替機構または絞り切替機構のどちらか一方で露光量を制御する。
【００６９】
また、上記実施例においては、撮影モード選択部としてスライドスイッチを用いたが、これに限るものではなく、ロータリースイッチやその他のスイッチを用いても良い。
【００７０】
さらに、被写体に向けて照射されるストロボ光量を減少させるために、減光板を用いたが、ストロボ回路に電圧制御素子であるＩＧＢＴ等を使用することにより、ストロボ発光量を減光させても良い。
【００７１】
【実施例】
以下の表１は、次に記す３種類，６撮影モードのレンズ付きフイルムユニットの絞り値Ｆ，シャッタスピードＳ，フイルム感度ＩＳＯ，ストロボ発光状態，露出値ＥＶを比較したものである。
ＬＦ１：固定絞り及び固定シャッタ型レンズ付きフイルムユニット
ＬＦ２−１：ストロボ連動式絞り切替型レンズ付きフイルムユニットのストロボＯＦＦ状態
ＬＦ２−２：ストロボ連動式絞り切替型レンズ付きフイルムユニットのストロボＯＮ状態
ＬＦ３−１：本発明のレンズ付きフイルムユニットの第１撮影モード
ＬＦ３−２：本発明のレンズ付きフイルムユニットの第２撮影モード
ＬＦ３−３：本発明のレンズ付きフイルムユニットの第３撮影モード
【００７２】
【表１】
2004053677.tif 000003
【００７３】
表１から分かるように、ＥＶ１０．８のＬＦ１では、周辺光の取り込み量が少ないため、夜間ストロボ撮影時に主要な被写体の背景を撮影することができなかった。また、ＬＦ２では、ストロボＯＮ時（ＬＦ２−２）にＥＶ８．８となるため、主要な被写体の背景も撮影することができる。しかし、日中にストロボ撮影を行うと露光オーバーが発生する。
【００７４】
これらＬＦ１及びＬＦ２に対し、本願発明のＬＦ３では、露光オーバーを発生させることなく日中ストロボ撮影を行うことができる。また、夜間ストロボ撮影は、ＥＶ６．４であるため、従来機種よりも暗い背景を撮影することができる。更に、これらの撮影モードの切り替えを、誤選択の生じにくい手動切替によって行うため、レンズ付きフイルムユニットのコストアップを防ぐことができる。
【００７５】
【発明の効果】
以上説明したように、本発明によれば、第１操作位置（日中撮影モード）を第２操作位置（日中シンクロ撮影モード）と第３操作位置（夜間シンクロ撮影モード）との間に設けたので、第１操作位置から第２操作位置への切替え方向と、第１操作位置から第３操作位置への切替え方向とが異なるので、撮影モードの選択ミスが防止可能であり、撮影モードの誤選択による撮影ミスを少なくすることができる。
【００７６】
また、従来よりも暗い背景の撮影を行うことができ、かつ露光オーバーが発生しにくいレンズ付きフイルムユニットをローコストに提供することができる。
【図面の簡単な説明】
【図１】本発明のレンズ付きフイルムユニットの日中撮影モードの状態を示す外観斜視図である。
【図２】本発明のレンズ付きフイルムユニットの日中シンクロ撮影モードの状態を示す外観斜視図である。
【図３】本発明のレンズ付きフイルムユニットの夜間シンクロ撮影モードの状態を示す外観斜視図である。
【図４】本発明のレンズ付きフイルムユニットの構成を示す分解斜視図である。
【図５】モード切替機構の構成を示す分解斜視図である。
【図６】第１操作位置から第２操作位置に切替えた時の弾性接片の状態を示す側面断面図である。
【図７】第１操作位置から第３操作位置に切替えた時の弾性接片の状態を示す平面断面図である。
【図８】絞り切替機構及びシャッタ速度切替機構の構成を示す分解斜視図である。
【図９】ストッパーレバーの高速シャッタ位置を示す説明図である。
【図１０】ストッパーレバーの低速シャッタ位置を示す説明図である。
【図１１】操作板の操作位置における切替えリングの状態を示す説明図である。
【図１２】日中撮影モード及び日中シンクロ撮影モードにおけるシャッタレリーズを示す説明図である。
【図１３】夜間シンクロモードにおけるシャッタレリーズを示す説明図である。
【図１４】操作部の変形例を示す説明図である。
【図１５】操作板の構成を示す説明図である。
【図１６】各操作位置での弾性接片の状態を示す説明図である。
【符号の説明】
２　レンズ付きフイルムユニット
３　ユニット本体
５　撮影レンズ
６　ファインダ
７　ストロボ発光部
８，１００　撮影モード選択部
１４，１０１　操作開口
１５，１０２　操作部材
１９　減光板
２０　指標板
２４　ストロボユニット
２５　モード切替機構
３１　充電スイッチ
３６，１０３　操作板
３７　ガイドプレート
３８，１０７　係止部
３８ａ，１０７ａ　係止穴
４０ａ，４０ｂ，１０６ａ，１０６ｂ　スイッチ押圧片
４６，１０５　固定接点
４７，１０４　弾性接片
５８　シャッタ羽根
６９　ストップレバー
８２　大絞り板
８３　絞り切替板
８８　切替リング
【図１】
2004053677.tif 000004
【図２】
2004053677.tif 000005
【図３】
2004053677.tif 000006
【図４】
2004053677.tif 000007
【図５】
2004053677.tif 000008
【図６】
2004053677.tif 000009
【図７】
2004053677.tif 000010
【図８】
2004053677.tif 000011
【図９】
2004053677.tif 000012
【図１０】
2004053677.tif 000013
【図１１】
2004053677.tif 000014
【図１２】
2004053677.tif 000015
【図１３】
2004053677.tif 000016
【図１４】
2004053677.tif 000017
【図１５】
2004053677.tif 000018
【図１６】
2004053677.tif 000019